(57)【特許請求の範囲】
【請求項１】
輸液バッグの挿入後に真空シール部の形成により封止される挿入開口が設けられていると共に，前記封止後に前記真空シール部が剥離又は切除されて前記輸液バッグに設けた輸液排出口に点滴用チューブを繋ぐための開口が形成される一辺と，２枚の包装用フィルムが重合されていると共に，前記輸液バッグにハンガーを取り付けるための開封部が形成された他辺を有する輸液バッグの外袋において，
前記包装用フィルムが少なくとも，シーラント層及び基材層の２層を有し，
前記シーラント層は，ヒートシールにより最内層に弱シール部と，前記弱シール部より高いシール強度を有する強シール部とから成るヒートシール層を形成し，
前記開封部が形成された前記他辺は，幅方向両側縁を前記強シール部とし，
前記強シール部間に，袋内方に位置する弱シール部と，袋外方に位置する非ヒートシール部から成る前記開封部が形成されており，
前記一辺の前記強シール部と前記非ヒートシール部の境界で，前記非ヒートシール部の少なくとも一方の端縁に，上部ノッチを形成したことを特徴とする輸液バッグの外袋。
【請求項２】
前記シーラント層は，前記弱シール部を形成するシール温度領域と，前記強シール部を形成するシール温度領域とを有するフィルムで形成したことを特徴とする請求項１記載の輸液バッグの外袋。
【請求項３】
前記開封部の開封幅を，収納する輸液バッグの幅より狭く形成したことを特徴とする請求項１又は２記載の輸液バッグの外袋。
【請求項４】
前記開封部を成す前記非ヒートシール部により，前記弱シール部上の袋外方に舌片を形成したことを特徴とする請求項１〜３いずれか１項記載の輸液バッグの外袋。
【請求項５】
前記弱シール部は，シール強度が１〜７Ｎ／１５ｍｍであり，前記強シール部のシール強度は，シール強度が１０Ｎ／１５ｍｍ以上であることを特徴とする請求項１〜４いずれか１項記載の輸液バッグの外袋。
【請求項６】
前記弱シール部は，１００〜１６０℃のシール温度でヒートシールされていて，前記強シール部は１２５℃以上のシール温度でヒートシールされていることを特徴とする請求項１〜５いずれか１項記載の輸液バッグの外袋。
【請求項７】
前記シーラント層及び前記基材層は，透明性を有し，前記基材層は，ガスバリア性，遮光性（紫外線非透過性）を有することを特徴とする請求項１〜６いずれか１項記載の輸液バッグの外袋。
【請求項８】
前記基材層は，ポリアミド系樹脂又はポリエステル系樹脂又はポリプロピレン系樹脂から成り，前記シーラント層は，エチレン系アイオノマー又はエチレンと他のモノマーとを共重合させたポリエチレン共重合体の樹脂から成るフィルムにより形成することを特徴とする請求項１〜７いずれか１項記載の輸液バッグの外袋。
【請求項９】
前記包装用フィルムに，酸化アルミニウム（アルミナ），酸化珪素（シリカ）の蒸着膜から成る蒸着層及び／又はポリプロピレン（ＰＰ）フィルム，延伸ポリプロピレン（ＯＰＰ）フィルム，ポリエチレンテレフタレート（ＰＥＴ）フィルム，ナイロン（Ｎｙ）フィルム，延伸ナイロン（ＯＮｙ）フィルム，延伸ポリエチレンテレフタレート（ＯＰＥＴ）フィルムから成る補強用フィルム層を設けたことを特徴とする請求項１〜８いずれか１項記載の輸液バッグの外袋。
【請求項１０】
前記補強用フィルム層には，遮光剤を含有するインキをコーティングすることを特徴とする請求項９記載の輸液バッグの外袋。
【請求項１１】
前記挿入開口に臨み，両側辺の強シール部に下部ノッチを設けることを特徴とする請求項１記載の輸液バッグの外袋。
【発明の詳細な説明】
【技術分野】
【０００１】
本発明は、輸液バッグの保管，搬送及び使用時において好適に用いられる輸液バッグの外袋に関するものである。
【背景技術】
【０００２】
一般に，病院等で使用される輸液バッグに充填されるアミノ酸製剤，ブドウ糖製剤，脂肪乳剤等の各種の薬液は，ガス，とりわけ酸素によって変質し易い。また，ビタミン類を含む輸液に関しては，含まれるビタミン，例えばビタミンＡ，Ｂ２，Ｃ，Ｋ，葉酸等が光，とりわけ紫外線によって分解・変質する。
【０００３】
そこで，輸液バッグ中の輸液が変質することを防止するために輸液バッグを，ガスバリア性，さらには遮光性を有する外袋で真空包装して保管，搬送することが行われている。
【０００４】
また，ビタミン剤が注入された輸液を充填している輸液バッグについては，保管，搬送時のみでなく，使用時においても遮光されていることが望ましい。大気中にある酸素などのガスが輸液バッグを通り抜けて薬液中に溶け込み，輸液を変質させる場合と比較して，光は輸液バッグを比較的容易に透過し，輸液中のビタミン類を分解させてしまうので，点滴等輸液バッグの使用時においても，遮光性カバー等を輸液バッグに被せておく必要がある。
【０００５】
特開平９−１１７４８９号公報には，輸液バッグである点滴用包装容器４０の外袋としての袋体である汚染防止袋２０に遮光性を付与することで，前記点滴用包装容器４０を真空包装した後，そのまま点滴時において遮光カバーとして使用できる点滴用包装容器（輸液バッグ）４０の汚染防止袋（本願発明の外袋１０に対応）について開示されている。
【０００６】
上記公報に開示される汚染防止袋２０は，図１１及び図１２に示すように，逆凹形状の上辺ヒートシール部２１，両側辺のサイドシール部２７，２７からなる三方がヒートシールされている袋であって，逆凹形の非シール部のハンガー掛止口２２が点滴用包装容器４０のハンガー掛止部２６の取り出し口となっており，該袋の下部はヒートシールされておらず，点滴用包装容器４０を袋内に挿入する挿入口２３となっており，点滴用包装容器４０のハンガー掛止口２２上部よりやや下方に位置するサイドシール部２７，２７に上部Ｖノッチ２４を設け，更に該袋に点滴用包装容器４０を挿入した後真空シールする下辺ヒートシール部２８よりやや上方のサイドシール部２７に下部Ｖノッチ２５を設けている。
【０００７】
また，上記点滴用包装容器４０の汚染防止袋２０の使用法については，図１１〜図１５に示す点滴用包装容器（輸液バッグ）４０の汚染防止袋（外袋）２０に，薬液混入口２９及び薬液排出口３０を有し，薬液が混入された点滴用包装容器４０をハンガー掛止部２６を上方にして挿入口２３より挿入し，該挿入口２３より別工程で，内部の空気を吸引して汚染防止袋２０を略真空状態にしたまま，挿入口２３を真空シールし，下辺ヒートシール部２８とし，完全密封して保管，搬送する。患者に薬液等を点滴するときは，上部Ｖノッチ２４より汚染防止袋を横方向に引き裂き，ハンガー掛止口２２を開封し，点滴用包装容器４０のハンガー掛止部２６を引き出し，ハンガー３１に取り付け，次いで下部Ｖノッチ２５より汚染防止袋を横方向に引き裂き，図１５に示すように輸液排出口３０に点滴用チューブ３２を装着して連通し，点滴を行う。
【０００８】
さらに，上記汚染防止袋２０は，シール層又は中間層を，袋の引き裂き方向，すなわち幅方向に一軸延伸されているため，ハンガー掛止口２２を開封する際に，前記上部Ｖノッチ２４から幅方向に，手で容易に引き裂き可能としている。
【先行技術文献】
【特許文献】
【０００９】
【特許文献１】特開平９−１１７４８９号公報
【発明の概要】
【発明が解決しようとする課題】
【００１０】
上記汚染防止袋２０は，シール層又は中間層が，袋の引き裂き方向，点滴用包装容器（輸液バッグ）４０幅方向に一軸延伸されていることにより，前記上部Ｖノッチ２４から幅方向に，手で容易に引き裂き可能としているが，汚染防止袋２０については，幅方向に引き裂き，ハンガー掛止口部２２を開封するために，手で引き裂く引き裂き距離が長いため，引き裂き容易なフィルムであっても，手で引き裂いた場合に，同一直線状に引き裂くことは難しく，蛇行湾曲したり，略同一直線であっても幅方向にではなく，斜め方向に引き裂けてしまうことが多々ある。このような開封状態は，汚染防止袋２０を幅方向に引き裂く際に，該汚染防止袋２０に収容された点滴用包装容器４０の荷重がかかり，引き裂き方向が変わり易いことと，一軸延伸によって，分子を延伸方向に配向しても，ヒートシールを行った際に，熱で配向が緩和ないし乱れてしまうことに起因する。
【００１１】
図１６に示すように，上記汚染防止袋２０を手で引き裂いた場合に，力の加減により，一方の上部Ｖノッチから幅方向にではなく，上部に向かって斜めに引き裂いてしまい，ハンガー掛止口２２から点滴用包装容器４０のハンガー掛止部を取り出せる程度に開口することができず，もう一度，他方の上部Ｖノッチ２４から手で引き裂くか又はハサミを用いて引き裂くことになり２度手間となった。また，図１７に示すように，下部に向かって斜めに引き裂いてしまい，ハンガー掛止口の開口部が大きくなり過ぎた状態で，点滴用包装容器のハンガー掛止部２６をハンガーに取り付けた場合に点滴用包装容器４０から汚染防止袋２０が落下してしまうことがあった。
【００１２】
また，前記上部Ｖノッチ２４より輸液バッグを幅方向に引き裂く場合，ヒートシール部，非シール部，ヒートシール部の順で引き裂くことになるが，非シール部においては，ヒートシールされていないフィルム２枚分を同時に引く裂くことになる。該２枚のフィルムは互いに固定されていないため，ハンガー掛止口を開封するために上部Ｖノッチから幅方向に引き裂く際に，前記非シール部において引っかかりが生じたり，引き裂き方向が意図した方向と異なるという煩わしさがあった。
【００１３】
そこで，本発明の目的は，輸液バッグの保管，搬送のみでなく点滴時等までにおいて使用できる従来の点滴用包装容器４０に対応する輸液バッグのための，従来の汚染防止袋に対応する外袋について，保管，搬送時には密封でき，使用時において開封箇所を容易に，失敗がなく確実に，手で開けられるようにした輸液バッグの外袋を提供する。
【００１４】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の技術的範囲の解釈に制限的に用いられるものではない。
【課題を解決するための手段】
【００１５】
上記目的を達成するために，本発明の輸液バッグの外袋１０は，例えば，２枚の包装用フィルム１５を重合し，又は１枚の前記包装用フィルム１５を半折して，該包装用フィルム１５の内層同士を重ね合わせて成り，輸液バッグ４０の挿入後に真空シール部７の形成により封止される挿入開口４が設けられていると共に，前記封止後に前記真空シール部７が剥離又は切除されて前記輸液バッグ４０に設けた輸液排出口４２に点滴用チューブを繋ぐための開口が形成される一辺と，２枚の包装用フィルム１５が重合されていると共に，前記輸液バッグ４０にハンガー４３を取り付けるための開封部８が形成された他辺を有する輸液バッグ４０の外袋１０であって，
前記包装用フィルム１５が少なくとも，シーラント層１２及び基材層１１の２層を有し，
前記シーラント層１２は，ヒートシールにより最内層に弱シール部２と，前記弱シール部２より高いシール強度を有する強シール部３とから成るヒートシール層を形成し，
前記開封部８が形成された前記他辺は，幅方向両側縁を前記強シール部３とし，
該強シール部３間に，袋内方に位置する弱シール部２と，袋外方に位置する非ヒートシール部６から成る前記開封部８が形成されており，
前記一辺の前記強シール部３と前記非ヒートシール部６の境界で，前記非ヒートシール部６の少なくとも一方の端縁に，実施形態では，直線状に前記弱シール部２にわずかに達する，上部ノッチ５を形成したことを特徴とする（請求項１）。
【００１６】
前記シーラント層１２は，容易に剥離可能（イージーピール可能）である前記弱シール部２を形成するシール温度領域と，前記強シール部３を形成するシール温度領域とを有するフィルムで形成することができる（請求項２）。
【００１７】
また，本発明の輸液バッグの外袋１０において，前記開封部８の開封幅を，収納する輸液バッグの幅より狭く形成することができる（請求項３）。
【００１８】
また，開封部８を成す非ヒートシール部６により，前記弱シール部２上の袋外方に舌片１２ｃ，１２ｃ’を形成する（請求項４）。
【００１９】
前記弱シール部２は，シール強度が１〜７Ｎ／１５ｍｍであることが好ましく，より好ましくは，３〜５Ｎ／１５ｍｍであり，前記強シール部３のシール強度は，シール強度が１０Ｎ／１５ｍｍ以上であることが好ましく，より好ましくは，２５Ｎ／１５ｍｍ以上である（請求項５）。
【００２０】
前記弱シール部２は，１００〜１６０℃のシール温度でヒートシールされていて，前記強シール部３は１２５℃以上のシール温度でヒートシールされていることが好ましい（請求項６）。
【００２１】
前記シーラント層１２及び前記基材層１１は，透明性を有することが好ましい。また，前記基材層１１は，ガスバリア性，遮光性（紫外線非透過性）を有することが好ましい（請求項７）。
【００２２】
前記基材層１１は，ポリアミド系樹脂又はポリエステル系樹脂又はポリプロピレン系樹脂から成り，前記シーラント層１２は，エチレン系アイオノマー又はエチレンと他のモノマーとを共重合させたポリエチレン共重合体の樹脂から成るフィルムにより形成することが好ましい（請求項８）。
【００２３】
前記構成の輸液バッグの外袋１０は，前記シーラント層１２，前記基材層１１の他に，例えば，酸化アルミニウム（アルミナ），酸化珪素（シリカ）の蒸着膜から成る蒸着層１３及び／又はポリプロピレン（ＰＰ）フィルム，延伸ポリプロピレン（ＯＰＰ）フィルム，ポリエチレンテレフタレート（ＰＥＴ）フィルム，ナイロン（Ｎｙ）フィルム，延伸ナイロン（ＯＮｙ）フィルム，延伸ポリエチレンテレフタレート（ＯＰＥＴ）フィルムから成る補強用フィルム層１４により形成することができる（請求項９）。
【００２４】
また，前記補強用フィルム層１４には、遮光剤を含有するインキを塗装（印刷）して，コーティングすることができる（請求項１０）。
【００２５】
さらに，輸液バッグの外袋１０には，上記上部ノッチ５とは別に，さらに，真空シール部７となる挿入開口４に臨み，両側辺の強シール部３に下部ノッチ９を設けることができる（請求項１１）。
【発明の効果】
【００２６】
本発明の構成の輸液バッグの外袋１０は，前記開封部８において，前記非ヒートシール部６を開き，上部ノッチ５（，５’）を介して，弱シール部２を離間するように拡開して，剥離することで開封され，前述した従来手で，外袋上辺を幅方向に引き裂く場合の開封の煩わしさ，開封の失敗といった問題を改善することができる。
【００２７】
また，本発明の輸液バッグの外袋１０は，前記弱シール部２及び前記強シール部３を有する構成となっているが，一の材料で，前記弱シール部２と前記強シール部３を形成するシーラント層（ヒートシール層）１２から成り，低コストで，製袋が容易である。
【００２８】
なお，前記ヒートシール層１２に，手で容易に剥離可能（イージーピール可能）である弱シール部２を形成するシール温度領域と，前記弱シール部２より高いシール強度を有した少なくとも前記弱シール部２を剥離する際に同時に剥離されないシール強度の強シール部３を形成するシール温度領域とを有するフィルムを使用した場合は，シール温度に対するシール強度の制御をより容易にすることができ，所望のシール強度を有する弱シール部２及び強シール部３をより容易に形成することができる。
【００２９】
本発明の輸液バッグの外袋１０が，ガスバリア性を有する場合は，輸液バッグ４０の保管，搬送時において，真空密封（真空シール）が可能な上，前記輸液バッグ４０に充填されるアミノ酸製剤，ブドウ糖製剤，脂肪乳剤等の各種の薬液が，ガス，とりわけ酸素による変質を防止することが可能となる。
【００３０】
また，本発明の輸液バッグの外袋１０が，遮光性を有する場合は，例えば前記輸液バッグ４０にビタミン剤などが含まれていたとしても，紫外線等によって前記ビタミンが分解され輸液バッグ４０に充填された輸液が変質することを防止することが可能となる。
【００３１】
さらに，本発明の輸液バッグの外袋１０が，透明性を有する場合は，輸液バッグ４０の中身の状態，残量，輸液バッグ４０に記載された目盛り，文字等の視認が可能となる。
【００３２】
本発明の輸液バッグの外袋１０が，前記シーラント層１２，前記基材層１１の他に，蒸着層１３及び／又は補強用フィルム層１４から構成された場合，優れた強度，遮光性（紫外線非透過性），ガスバリア性，水蒸気バリア性等を付与することができる。
【００３３】
また，前記輸液バッグの外袋１０は，収容された輸液バッグ４０の使用時において，前記弱シール部２を剥がし，前記開封部８を開封した際にハンガー４３等を挿入することができ，かつ，前記輸液バッグをハンガー４３等に掛けても，本発明の輸液バッグの外袋１０が前記開封部８を介して輸液バッグ４０からすり抜け，落下することがないので，前記輸液バッグ４０を点滴用スタンドに吊り下げた場合に，クリップ等で本発明の輸液バッグの外袋１０を保持する必要がなく，そのまま，目的に応じて，好適に使用することができる。
【００３４】
前記開封部８が，収容される輸液バッグ４０の把手用孔４１に対応させた位置に設けられていると，輸液バッグの把手用孔４１にハンガー４３等を取り付けることが容易でる。
【００３５】
さらに，輸液バッグの外袋１０に，上記上部ノッチ５とは別に，さらに前記下部ノッチ９を設けることにより，前記輸液バッグの外袋１０に保管されていた輸液バッグ４０を点滴時等で使用する場合に，該輸液バッグ４０の輸液排出口４２に点滴用チューブを繋ぐために，該下部ノッチ９から引き裂いて輸液バッグの外袋１０を開口することができる。
【００３６】
また，前記開封部８の舌片１２ｃ，１２ｃ’を，両手の親指及び小指で両舌片をそれぞれ離間する方向へ引っ張り，前記上部ノッチ５，５’を介して，前記弱シール部２をそれぞれ剥離し，前記開封部８を開封して，ハンガー４３を挿入することができる。
【図面の簡単な説明】
【００３７】
【図１】同図（Ａ）は，本発明の輸液バッグの外袋の概略正面図。同図（Ｂ）は，本発明の輸液バッグの外袋の同図（Ａ）Ｂ−Ｂ線拡大断面図。
【図２】点滴時等の本発明の輸液バッグの外袋の使用状態を示す概略正面図。
【図３】本発明の輸液バッグの外袋に輸液バッグを密封した状態を示す概略正面図。
【図４】下部ノッチを設けた本発明の輸液バッグの外袋の概略正面図。
【図５】輸液バッグを密封する際，本発明の輸液バッグの外袋の真空シール部を強シールした状態を示す概略正面図。
【図６】本発明の別の実施形態における輸液バッグの外袋の概略正面図。
【図７】本発明の別の実施形態における輸液バッグの外袋の概略正面図。
【図８】本発明の別の実施形態における輸液バッグの外袋の概略正面図。
【図９】同図（Ａ）は，本発明の別の実施形態における輸液バッグの外袋の概略正面図，同図（Ｂ）は，本発明の別の実施形態における輸液バッグの外袋の同図（Ａ）Ｂ−Ｂ線拡大断面図。
【図１０】本発明の別の実施形態における輸液バッグの外袋の使用状態を示す概略正面図。
【図１１】従来の汚染防止袋（外袋）の概略正面図。
【図１２】従来の汚染防止袋に点滴用包装容器（輸液バッグ）を挿入した状態を示す概略正面図。
【図１３】従来の汚染防止袋に点滴用包装容器を密封した状態を示す概略正面図。
【図１４】従来の汚染防止袋の使用方法を示す概略正面図。
【図１５】従来の汚染防止袋を使用して点滴する使用状態を示す概略正面図。
【図１６】従来の汚染防止袋の引き裂きに失敗した例を示す図。
【図１７】従来の汚染防止袋の引き裂きに失敗した例を示す図。
【図１８】シール温度とシール強度の関係を示すグラフ。
【発明を実施するための形態】
【００３８】
〔包装用フィルム〕
本発明に係る輸液バッグの外袋１０を構成する包装用フィルム１５は，少なくとも，シーラント層１２及び基材層１１の２層からなり，必要に応じて，蒸着層１３及び／又は補強用フィルム層１４を設ける。
【００３９】
〔シーラント層〕
シーラント層１２は，本発明の輸液バッグの外袋の最内層を成すヒートシール層である。
【００４０】
本発明に使用されるシーラント層１２は，シール温度を変えることによってシール強度を制御可能なフィルムから成る。より詳細には，シール温度によってシール強度を制御可能であって，一の材料で，少なくとも，手で容易に剥離可能（以下，本願明細書において，「イージーピール可能」ともいう）な弱シール部２と，前記弱シール部２より高いシール強度を有した少なくとも前記弱シール部２を剥離する際に同時に剥離されない強シール部３とを形成するフィルムから成る。
【００４１】
ここでは，イージーピール可能な弱シール部２を形成するシール温度領域と，前記弱シール部２より高いシール強度を有した少なくとも前記弱シール部２を剥離する際に同時に剥離されない強シール部３を形成するシール温度領域とを有するフィルムから成り，シール強度を，シール温度の制御により行う。
【００４２】
かように，シール温度を変化させてヒートシールすることによって，一の材料で，少なくとも，前記弱シール部２を形成するシール温度領域においてイージーピール可能な弱シール部２と，前記強シール部３を形成するシール温度領域において前記弱シール部２より高いシール強度を有した少なくとも前記弱シール部２を剥離する際に同時に剥離されない強シール部３とを発現させる段階的なヒートシールが可能となる。
【００４３】
前記弱シール部２の強度は，イージーピール可能であって，前記強シール部３が剥離する以前に剥離される。一方，強シール部３については，弱シール部２よりも高いシール強度であって，少なくとも弱シール部２を剥離する際に同時に剥離されない程度の強度を有する。
【００４４】
前述したイージーピール可能な弱シール部２の強度とは，ここでは，シール強度１〜７Ｎ／１５ｍｍ程度であり，好ましくは，３〜５Ｎ／１５ｍｍであり，一方，前記強シール部３の強度としては，ここでは，シール強度約１０Ｎ／１５ｍｍ以上であり，より好ましくは，約２５Ｎ／１５ｍｍ以上であるが，弱シール部２については手で容易に剥離可能であって，一方，強シール部３については前記弱シール部３を剥離する際に同時に剥離されない強度を有すればよく，上記数値に必ずしも限定されない。
【００４５】
本発明のシーラント層１２に使用されるフィルムとしては，シール温度を変えることによってシール強度を制御することがでるフィルムであれば特に限定されず，具体的には，例えば，エチレン系アイオノマー，エチレンと他のモノマーとを共重合させたポリエチレン共重合体等の樹脂から成る。
【００４６】
なお，輸液バッグの目盛や文字が読める程度の透明性が必要な場合には，透明性を有するシーラント層が好適に用いられるが，具体的には，前記エチレン系アイオノマー樹脂を用いたフィルムが挙げられる。
【００４７】
〔基材層〕
基材層１１は，本発明に係る輸液バッグの外袋１０がシーラント層１２及び基材層１１の２層からなる場合，前記輸液バッグの外袋１０の外層を成すもので，該輸液バッグの外袋１０の内部に収容した輸液バッグ４０を長期間にわたって好適な状態に保つべく，外部からの応力に対して耐久性等を有するよう，適度な強度を備えるほか，外部からの刺激によってピンホール等が発生することのないよう，突き刺し強度の高い材質のフィルムが用いられる。
【００４８】
さらに，透明性，ガスバリア性，水蒸気バリア性又は遮光性等を有するフィルムが基材層１１として好適に使用される。
【００４９】
前記基材層１１に使用可能なフィルムとしては，ポリアミド系樹脂，ポリエステル系樹脂等を用いたフィルムを挙げることができる。
【００５０】
前記基材層１１に使用可能なフィルムとしての，ポリアミド系樹脂としては，特に限定されず，各種ポリアミド（ナイロン）を使用でき，例えばポリアミド４６（ナイロン４６），ポリアミド６（ナイロン６），ポリアミド６６（ナイロン６６），ポリアミド６１０（ナイロン６１０），ポリアミド６１２（ナイロン６１２），ポリアミド６／６６（ナイロン６／６６），ポリアミド６／１２（ナイロン６／１２），ポリアミド６Ｔ（ナイロン６Ｔ），ポリアミド１１（ナイロン１１），ポリアミド１２（ナイロン１２），ポリアミド１２１２（ナイロン１２１２），ナイロンＭＸＤ６（ポリアミドＭＸＤ６），ポリアミドイミド，スーパータフナイロン，非晶ナイロン，Ｋコートナイロン（ＰＶＤＣコートナイロン），非塩素・非金属系素材をコーティングしたバリアコートナイロン等が使用できる。特に，ナイロンＭＸＤ６（ポリアミドＭＸＤ６），非晶ナイロン，Ｋコートナイロン（ＰＶＤＣコートナイロン）及び非塩素・非金属系素材をコーティングしたバリアコートナイロンは水蒸気バリア性及びガスバリア性を有するため，好適に用いられる。また，輸液バッグの目盛や文字が読める程度の透明性が必要な場合は，上述した各種ポリアミドのうち透明性を有するものが，好適に用いられる。
【００５１】
また，水蒸気バリア性，ガスバリア性を有しない各種ポリアミド系樹脂であっても，後述するように，ポリアミド系樹脂からなる基材層１１に無機酸化物等を蒸着させた蒸着層を設けることにより，酸素・水蒸気等のガスバリア性を付与することができる。
【００５２】
さらに，前記ポリアミド系樹脂は紫外線透過率が高いが，本発明の輸液バッグの外袋１０によって収容される輸液バッグ４０に充填された輸液中にビタミン剤が含まれている等，紫外線により内容物が分解するなど輸液が変質してしまう場合は，ポリアミド系樹脂からなる基材層１１に遮光性を付与する。
【００５３】
一方，基材層１１として前記ポリエステル系樹脂を用いたフィルムを使用した場合，前記ポリエステル系樹脂は透明性が高く，強度，耐熱性，ガスバリア性及び紫外線非透過性を有するので，好適に用いられる。前記ポリエステル系樹脂として，具体的には，ポリエチレンテレフタレート（ＰＥＴ），ポリエチレンナフタレート（ＰＥＮ），又はポリエチレンテレフタレート（ＰＥＴ）とポリエチレンナフタレート（ＰＥＮ）を混合・配合したものであることが好ましい。
【００５４】
なお，前記ポリエチレンナフタレート（ＰＥＮ）は，ポリエチレンテレフタレート（ＰＥＴ）よりも透明性，紫外線非透過性及びガスバリア性に優れている。  
【００５５】
また，僅かな割合でポリエチレンナフタレート（ＰＥＮ）をポリエチレンテレフタレート（ＰＥＴ）に混合・配合するだけでも，優れた紫外線（ＵＶ）カット効果が得られる。
【００５６】
なお，前記ポリアミド系樹脂及びポリエステル系樹脂に遮光性を付与することで，より一層の紫外線（ＵＶ）カット効果を得るようにする。前記，前記ポリアミド系樹脂及びポリエステル系樹脂に遮光性を付与する方法として，遮光剤を含有するインキを塗装（印刷）して，コーティングする方法，前記遮光剤を前記ポリアミド系樹脂及び前記ポリエステル系樹脂に添加する方法等が挙げられる。
【００５７】
前記遮光剤として，従来公知の種々のものが挙げられる。また，輸液バッグ４０の目盛や文字が読める程度の透明性が必要な場合は，同程度の透明性が得られる遮光剤を用いればよい。例えば，ヒドロキシベンゾフェノン，ベンゾトリアゾール等の無色の遮光剤や，黄色系遮光剤，赤色系遮光剤等が挙げられる。
【００５８】
前記ポリエステル系樹脂についても，前記ポリアミド系樹脂の場合と同様，後述するように，無機酸化物等を蒸着させることにより，ガスバリア性を付与することができる。
【００５９】
なお，上述した基材層１１として，易裂性を有するフィルムについても好適に使用できる。一軸延伸ポリアミド系フィルム，二軸延伸ポリアミド系フィルムの他，一軸延伸ポリエステル系フィルム，二軸延伸ポリエステル系フィルム等が挙げられるが，易裂性を有していれば，これらに限定されず，また，未延伸のフィルムであってもよい。
【００６０】
〔蒸着層〕
蒸着層１３は，特に本発明の輸液バッグの外袋１０によって収容される輸液バック４０に充填された輸液が容易に酸化されやすいために高いガスバリア性が必要とされる場合に，必要に応じて，前記ポリアミド系樹脂又は前記ポリエステル系樹脂からなる基材層１１に蒸着し形成するもので，高いガスバリア性が必要とされない場合，及び前述の基材層１１によって必要なガスバリア性を得ることができる場合にはこれを省略することができる。
【００６１】
本発明において使用される蒸着層１３としては，透明性を有しかつ酸素等のガスバリア性，水蒸気バリア性を有するものであればよく，これらの条件を満たすものとして，例えば，酸化アルミニウム（アルミナ），酸化珪素（シリカ），あるいはそれらの混合物などの無機酸化物の蒸着膜が好適に用いられる。なお，透明性より遮光性が重視される場合等においては，アルミニウム箔等の金属箔又はアルミニウム等の金属の蒸着層１３を設けることも可能である。
【００６２】
蒸着層１３を形成する手段としては各種手段を用いることができ，例えば，真空蒸着法により形成することができる。また，この真空蒸着法以外にも，スパッタリング法，プラズマ気相成長法，イオンプレーティング法等を用いてもよい。なお，無機酸化物薄膜層の透明性を上げるために蒸着の際，酸素ガスを吹き込む反応蒸着を行うこともできる。
【００６３】
〔補強用フィルム層〕
本発明の輸液バッグの外袋１０は，前記基材層１１及び前記シーラント層１２の２層を積層して構成すること，又は前記基材層１１及び前記シーラント層１２の２層を積層し前記基材層１１に蒸着層１３を形成して構成することができるが，必要に応じてさらに補強用フィルム層１４を備えた構成とすることができる。
【００６４】
補強用フィルム層１４は，輸液バッグの外袋として強度，防湿性，耐熱性等が必要とされる場合に必要に応じて設けるもので，高い強度，防湿性，耐熱性等が必要とされない場合，及び前述した基材層１１によって必要な強度，防湿性，耐熱性等を得ることができる場合にはこれを省略することができる。
【００６５】
補強用フィルム層１４には，一例としてポリプロピレン（ＰＰ），延伸ポリプロピレン（ＯＰＰ）が用いられるが，これに限定されない。前記延伸ポリプロピレン（ＯＰＰ）は防湿性，耐熱性，さらに，強度を有するため好適に用いられる。前記延伸ポリプロピレン（ＯＰＰ）以外にも，ナイロン（Ｎｙ），ポリエチレンテレフタレート（ＰＥＴ）又はこれらについて延伸処理を施した延伸ナイロン，延伸ポリエチレンテレフタレート等が使用可能である。
【００６６】
なお，上記ポリプロピレン（ＰＰ），延伸ポリプロピレン（ＯＰＰ），ポリエチレンテレフタレート（ＰＥＴ），ナイロン（Ｎｙ），延伸ナイロン（ＯＮｙ）及び延伸ポリエチレンテレフタレート（ＯＰＥＴ）は透明性を有するため，本発明の輸液バッグの外袋に透明性が必要である場合にも，好適に用いられる。
【００６７】
また，本発明の輸液バッグの外袋１０に補強用フィルム層１４を設ける場合，上述した基材層１１に代えて，この補強用フィルム層１４に遮光剤を含有するインキをコーティングすることで，本発明に係る輸液バッグの外袋１０に，遮光性を付与することも可能である。
【００６８】
〔積層〕
上述した各層を積層して前記包装用フィルム１５を形成する方法は，既知の各種の方法を使用して行うことができる。上述のように直接蒸着等によって他の層に積層する場合を除き，例えば，有機溶剤に溶解した接着剤を表面に塗布し，熱風又は加熱によって乾燥させた後，積層対象を重ねて加熱圧着するドライラミネート法，押出機を用い，加熱溶融した樹脂をフィルム状に押し出し，該フィルムが溶融状態にあるうちに他のフィルムと圧着する押出ラミネート法など，既知の各種積層方法を用いることができる。
【００６９】
なお，上述した各種積層方法によって，接着層を形成する接着剤に，前記遮光剤を添加することも可能である。
【００７０】
積層する順序については，本発明の輸液バッグの外袋１０のヒートシール層１２として機能するシーラント層１２が最内層となるように積層し，前述の基材層１１，蒸着層１３，補強用フィルム層１４の形成順は，特に限定されず，適宜変更することが可能であり，前記蒸着層１３及び前記補強用フィルム層１４については，前述した通り，必要に応じて設けることができ，又省略することも可能である。
【００７１】
〔製袋〕
輸液バッグ４０を収容することができる，本発明の輸液バッグの外袋１０は，少なくとも，最内層を成す前記シーラント層１２，及び前記基材層１１の２層から成る前記包装用フィルム１５を用いて，２枚の該包装用フィルム１５を重合し，又は１枚の該包装用フィルム１５を半折して，該包装用フィルム１５の内層同士を重ね合わせて，必要周縁部をヒートシールすることで形成する。
【００７２】
特に，前記ヒートシールに際しては，一辺をヒートシールせずに，輸液バッグ４０の挿入開口４として残し，部分的にシール温度を変えてヒートシールすることで，他辺に２枚のフィルムが重合される開封部８を形成し，該開封部８を成す一辺の幅方向両側縁に前記強シール部３を形成し，該強シール部３間に，袋内方に位置する前記弱シール部２上の袋外方に位置する非ヒートシール部６により，舌片１２ｃ，１２ｃ’を形成する。
【００７３】
前記開封部８は，前記非ヒートシール部６の舌片１２ｃ，１２ｃ’を指で把持して離間する方向に引っ張り，上部ノッチ５，５’を引き裂きの契機として，弱シール部２を剥離することで開封される。
【００７４】
前記開封部８の形状，大きさ，位置は任意であるが，輸液バッグ４０の使用時においても遮光カバー等として使用できるよう適宜決定する。すなわち，開封部８を成す一辺の幅方向両側縁に前記強シール部３を形成し，該強シール部３間に，袋内方に位置する前記弱シール部２上の袋外方に位置する非ヒートシール部６により，舌片１２ｃ，１２ｃ’を形成する。これにより，前記開封部８の前記非ヒートシール部６の舌片１２ｃ，１２ｃ’が指で容易に把持できる程度の長さを備える。
【００７５】
さらに，本発明の輸液バッグの外袋１０に収容された輸液バッグ４０の使用時において，前記弱シール部２を剥がし，前記開封部８を開封した際にハンガー４３等を挿入することができ，かつ，前記非ヒートシール部６から成る開封部８の開封時における幅方向の長さが，収納する輸液バッグの収納時の幅方向の長さより短く形成し，前記輸液バッグをハンガー４３等に掛けても，本発明の輸液バッグの外袋１０が前記開封部８を介して輸液バッグ４０からすり抜けて落下しないよう形成することができる。
【００７６】
これにより，輸液バッグ４０を点滴用スタンドに吊り下げた場合に，クリップ等で本発明の輸液バッグの外袋１０を保持する必要がなく，そのまま遮光カバー等として使用することができる。
【００７７】
また，前記開封部８が，収容される輸液バッグ４０の把手用孔４１に対応させた位置に設けると，輸液バッグの把手用孔４１にハンガー４３等を取り付けることが容易となり好ましい。
【００７８】
さらに，本発明の輸液バッグの外袋１０は，開封部８の開封を容易にするために，前記強シール部３と前記非ヒートシール部６との境界で，前記非ヒートシール部６端縁に舌片１２ｃ，１２ｃ’の延長線上に上部ノッチ５を形成する。前記上部ノッチ５は，直線状（Ｉ字状），Ｕ字状，Ｖ字状など種々の形状でよいが，ここでは，サイドシール部の一辺の前記強シール部３と前記非ヒートシール部６の境界で，前記非ヒートシール部６の両端縁すなわち舌片１２ｃ，１２ｃ’に，直線状に前記弱シール部２にわずかに達する，５，５を形成する。
【００７９】
また，輸液バッグの外袋１０には，保管していた輸液バッグ４０を点滴時等で使用する場合に，該輸液バッグ４０の輸液排出口４２に点滴用チューブを繋ぐために，輸液バッグの外袋１０を開口するための下部ノッチ９を上記上部ノッチ５とは別に適宜設ける。
【００８０】
前記下部ノッチ９の位置は特に限定されず，収容する輸液バッグ４０の輸液排出口４２の位置を考慮して適宜に決めることができる。
【００８１】
上述より，本発明の輸液バッグの外袋１０は，前記弱シール部２がイージーピール可能であり，また，前記上部ノッチ５を設けることで，前記非ヒートシール部６に指を入れ，摘みやすく，前記弱シール部２の剥離が容易なので，前記開封部８を手で容易かつ失敗なく開封することが可能である。
【実施例】
【００８２】
本発明の輸液バッグの外袋１０の具体例について，図面により詳細に説明する。
【００８３】
図１（Ａ）及び図１（Ｂ）に示す輸液バッグの外袋１０は，上述したシール温度によってシール強度の制御が可能であって透明性を有するフィルムから成るシーラント層１２，及び，上述した透明性，遮光性及びガスバリア性を有するフィルムから成る基材層１１の２層から成る包装用フィルム２枚（包装用フィルム１５，１５’）を前記シーラント層が内層となるように重合し，一辺を輸液バッグ４０を挿入するための挿入開口４として残して，３辺についてシール温度を部分的に変えてヒートシールすることにより，サイドシール部２７，２７の強シール部３，３’及び弱シール部２，２’からなる開封部８が形成される。
【００８４】
図１（Ａ）及び図１（Ｂ）に示すように，前記強シール部３，３’は，前記輸液バッグ１０の両側辺から上辺の一部に跨って形成され，前記開封部８は，幅方向両側縁を前記強シール部３，３’に挟まれていて，袋外方に非ヒートシール部６及び袋内方に弱シール部２から成る開封部として形成されている。
【００８５】
この輸液バッグの外袋１０は，前記弱シール部２はイージーピール可能であって，前記強シール部３，３’は前記弱シール部２より高いシール強度を有した少なくとも前記弱シール部２を剥離する際に同時に剥離されない強度を有するように段階ヒートシールされている。
【００８６】
また，前記開封部８は，前記非ヒートシール部６を指で摘んで，弱シール部２を剥離することで開封される。すなわち，開封部８を成す一辺の幅方向両側縁に前記強シール部３を形成し，該強シール部３間に，袋内方に位置する前記弱シール部２上の袋外方に位置する非ヒートシール部６により，舌片１２ｃ，１２ｃ’を形成する。そして，図１（Ａ）に示すように，非ヒートシール部６と強シール部３，３’との境界の舌片端縁の延長線上に，直線状の上部ノッチ５，５’を設けている。
【００８７】
図１（Ｂ）において，１１，１１’は基材層，１２，１２’はシーラント層で，前記シーラント層１２のうち，１２ａ，１２ａ’は強シール部，１２ｂ，１２ｂ’は弱シール部，また１２ｃ，１２ｃ’は非ヒートシール部から成る舌片であり，該強シール部と該弱シール部において前記２枚の前記包装用フィルム１５，１５’を重合接着している。
【００８８】
さらに，図１（Ａ）に示す輸液バッグの外袋１０の前記開封部８の長手方向距離，すなわち弱シール部２の長手方向距離は，図２に示すように，輸液バッグ４０の使用時において，前記弱シール部２を剥がして開封部８を開封して輸液バッグ４０の把手用孔４１をハンガー４３に容易に取り付けることができる程度の距離を有し，ハンガー４３に掛けても，本発明の輸液バッグの外袋１０が輸液バッグ４０からすり抜けて落下しないように規定されている。
【００８９】
また，前記非ヒートシール部６は，指を入れて容易に摘むことができる程度の幅方向距離を有するように形成されている。
【００９０】
以上により，前記輸液バッグの外袋１０は，保管時において収容された輸液バッグ４０を点滴時等に使用する際，前記弱シール部２の外側に位置する上部非ヒートシール部６の舌片１２ｃ，１２ｃ’を指をはさみ，図２に示すように，前記弱シール部２を手で剥がしながら開封部８を開封して，該開封部８を介して輸液バッグ４０の把手用孔４１をハンガー４３に取り付けることができ，外袋保持用のクリップ等を使用せずとも，前記輸液バッグの外袋１０をそのまま遮光カバー等として好適に使用することができる。
【００９１】
また，この輸液バッグの外袋１０は，透明性を有する前記包装用フィルム１５，１５’から構成されているので，輸液バッグ４０の保管，搬送時，使用時においても，酸素，紫外線などによって前記輸液バッグ４０に充填された輸液は変質せず，前記輸液バッグの外袋１０によって収容又はカバーされた該輸液バッグ４０の中身の状態，残量，輸液バッグ４０に記載された目盛り，文字等を視認することが可能である。
【００９２】
〔シーラント層１２〕
本発明の輸液バッグの外袋１０を構成するシーラント層１２として使用が可能なフィルムとして，一例として，前記エチレン系アイオノマーを用いた三井・デュポンポリケミカル（株）製「ＡＤ８２７３」が挙げられる。
【００９３】
三井・デュポンポリケミカル（株）製「ＡＤ８２７３」をシーラント層１２として使用してシール温度を変化させてヒートシールすると，弱シール部２を形成するシール温度領域では，イージーピール性を示し，強シール部３を形成するシール温度領域では，前記弱シール部２より高いシール強度が発現される。
【００９４】
三井・デュポンポリケミカル（株）製「ＡＤ８２７３」についてのシール温度とシール強度の関係を示すものを図１８のグラフ（Dai Nippon Printig Co., Ltd  「展示会レポート  :  東京パック展２００６」〈http://packaging.jp/modules/exhibition/category-1.html〉から引用）に示す。グラフでは，三井・デュポンポリケミカル（株）製「ＡＤ８２７３」が，イージーピール可能な弱シール温度領域２ａと，前記弱シール温度領域２ａより高いシール強度を有する強シール温度領域３ａの二つのシール強度の安定域を有することを示している。
【００９５】
換言すると，一の材料で，イージーピール可能な弱シール部２を形成する弱シール温度領域と，前記弱シール部２より高いシール強度を有する強シール部３を形成する強シール温度領域を有しているので，弱シールと強シールの段階ヒートシールが可能で，シール強度に対応するシール温度の制御が可能である。
【００９６】
なお，弱シール温度領域と強シール温度領域の中間もしくは競合する温度領域は本発明の強弱シールの温度領域に含み多段階のシール強度が実現できる。
【００９７】
前記エチレン系アイオノマー樹脂を用いたフィルムとしては，上述した三井・デュポンポリケミカル（株）製「ＡＤ８２７３」の他に，例えば，三井・デュポンポリケミカル（株）製「ハイミラン（登録商標）ＮＴ０７０１８」等が，上述した通り，少なくとも，容易に剥離可能（イージーピール可能）な弱シール温度領域２ａと前記弱シール温度領域２ａより高いシール強度を有する強シール温度領域３ａとの二以上のシール強度の安定域及びこれに対応するシール温度領域を有し，シール温度に対するシール強度の制御がより容易であるので，好適に用いられるが，前記シール強度安定域またこれに対応するシール温度領域を有していなくとも，少なくともシール温度を変えることによってシール強度を制御することが可能であれば，これに限定されない。
【００９８】
〔基材層〕
また，前記基材層１１に使用可能なフィルムとしての，ポリアミド系樹脂としては，特に限定されず，各種ポリアミド（ナイロン）を使用でき，例えばポリアミド４６（ナイロン４６），ポリアミド６（ナイロン６），ポリアミド６６（ナイロン６６），ポリアミド６１０（ナイロン６１０），ポリアミド６１２（ナイロン６１２），ポリアミド６／６６（ナイロン６／６６），ポリアミド６／１２（ナイロン６／１２），ポリアミド６Ｔ（ナイロン６Ｔ），ポリアミド１１（ナイロン１１），ポリアミド１２（ナイロン１２），ポリアミド１２１２（ナイロン１２１２），ナイロンＭＸＤ６（ポリアミドＭＸＤ６），ポリアミドイミド，スーパータフナイロン，非晶ナイロン，Ｋコートナイロン（ＰＶＤＣコートナイロン），非塩素・非金属系素材をコーティングしたバリアコートナイロン等が使用できる。特に，ナイロンＭＸＤ６（ポリアミドＭＸＤ６），非晶ナイロン，Ｋコートナイロン（ＰＶＤＣコートナイロン）及び非塩素・非金属系素材をコーティングしたバリアコートナイロンは水蒸気バリア性及びガスバリア性を有するため，好適に用いられる。また，輸液バッグの目盛や文字が読める程度の透明性が必要な場合は，上述した各種ポリアミドのうち透明性を有するものが，好適に用いられる。
【００９９】
さらに，基材層として，出光石油化学（株）製「ユニアスロンＴＢ１０００」，ユニチカ（株）製「エンブレムＮＣ」等の二軸延伸ポリアミド系フィルムの他，一軸延伸ポリエステル系フィルム，ユニチカ（株）製「エンブレットＰＣ」等の二軸延伸ポリエステル系フィルム等が挙げられるが，易裂性を有する未延伸のフィルムでもよい。
【０１００】
〔使用方法〕
次に，前記輸液バッグの外袋１０の使用方法の一例について説明する。前記輸液バッグの外袋１０に輸液バッグ４０を収容して保管，搬送する際は，図１（Ａ）及び図１（Ｂ）に示す輸液バッグの外袋１０に，図３に示すように，輸液バッグ４０の把手用孔４１を上にして挿入開口４より図３のように挿入し，該挿入開口４より吸引して本発明の輸液バッグの外袋１０内を真空状態にして，該挿入開口４を真空シールし，完全密封して保管，搬送する。
【０１０１】
これにより，前記輸液バッグ１０に収容された前記輸液バッグ４０は，酸素や紫外線（ＵＶ）によって前記輸液バッグに充填された輸液が変質されず，好適に保管，搬送される。
【０１０２】
なお，真空シール部７については，シール温度を適宜変えてヒートシールすることによってイージーピール可能なシール，または完全シールとすることもでき，特に限定されない。
【０１０３】
前記真空シール部７が，手で剥離することができない程度の強度を有する場合は，図４に示すように，あらかじめ輸液バッグの外袋１０の両側辺の下部に下部ノッチ９を設け，該下部ノッチから手で引き裂く構成とすることができる。この場合，基材層１１には，易裂性を有するフィルムが使用される。
【０１０４】
前記下部ノッチ９の位置は，図５では，真空シール部７の位置よりやや上部に設けられているが，前記下部ノッチ９から引き裂いた後，輸液バッグの外袋１０が，図５に示す輸液バッグ１０の縦方向全体をカバーできる程度の長さを確保できる位置であれば，特に限定されない。
【０１０５】
そして，点滴時など保管した輸液バッグ４０を使用する際には，図２に示すように，手で弱シール部２を剥がして開封し，前記輸液バッグ４０の把手用孔４１をハンガー４３に取り付け，次いで，真空シール部７を，剥離又は引き裂いて開口し，図示せざる点滴チューブを輸液バッグ４０の輸液排出口４２に繋いで点滴を行う。
【０１０６】
本発明の輸液バッグの外袋１０の別の実施形態は，図６に示すように，輸液バッグ４０の把手用孔４１が中央ではなく両端部いずれかにある場合に，好適に使用できるように，輸液バッグの外袋１０の弱シール部２の位置を輸液バッグ４０の把手用孔４１に対応させた位置に適宜設けることができる。
【０１０７】
本発明の輸液バッグの外袋１０の別の実施形態は，図７に示すように，１枚の包装用フィルム１５を半折して，該包装用フィルム１５の内層同士を重ね合わせて，必要周辺部を前記段階ヒートシールすることによって，弱シール部２及び非ヒートシール部６から成る開封部８，及び強シール部３が形成されたもので，この実施形態にかかる輸液バッグの外袋１０は，挿入開口４の位置が，該輸液バッグの外袋１０の下辺に設けられている。
【０１０８】
本発明の輸液バッグの外袋１０の別の実施形態は，図８に示すように，輸液バッグの外袋１０の形状が矩形状ではなく，略円形である。
【０１０９】
図９（Ａ）は，本発明の輸液バッグの外袋１０の別の実施形態を示す図で，図９（Ｂ）は図９（Ａ）におけるＢ−Ｂ線の断面図である。本発明の輸液バッグの外袋１０の別の実施形態は，図９（Ｂ）に示すように，輸液バッグの外袋１０を構成する包装用フィルム１５が，上述したシール温度によってシール強度の制御が可能であって透明性を有するフィルムから成るシーラント層１２，及び，上述した透明性，遮光性及びガスバリア性を有するフィルムから成る基材層１１，該基材層１１に上記酸化アルミニウム（アルミナ）等を蒸着した透明性を有する蒸着層１３，上記延伸ポリプロピレン等を使用した透明性を有する補強用フィルム層１４から成り，シーラント層１２，基材層１１，蒸着層１３，補強用フィルム層１４の順序で積層して形成されていて，透明性を有しながらも，優れた強度，遮光性，ガスバリア性，水蒸気バリア性，耐熱性等を有している。
【０１１０】
また，前記輸液バッグの外袋１０は，前記４層から成る包装用フィルム２枚（包装用フィルム１５，１５’）を前記シーラント層１２が内層となるように重合し，一辺を輸液バッグ４０を挿入するための挿入開口４として残して，３周辺部についてシール温度を部分的に変えてヒートシールすることにより，強シール部３，３’及び開封部８が形成されている。
【０１１１】
図１（Ａ）及び図１（Ｂ）に示すように，前記強シール部３，３’は，前記輸液バッグの外袋１０の両側辺から上辺の一部に跨って形成され，前記開封部８は，幅方向両側縁を前記強シール部３，３’に挟まれていて，袋外方に非ヒートシール部６及び袋内方に弱シール部２から成る開封部として形成されている。
【０１１２】
この輸液バッグの外袋１０は，前記弱シール部２はイージーピール可能であって，前記強シール部３，３’は少なくとも前記弱シール部２を剥離する際に同時に剥離されない強度を有するよう段階ヒートシールされている。また，前記開封部８は，前記非ヒートシール部を指で摘んで，弱シール部２を剥離することで開封される。
【０１１３】
図９（Ｂ）は，上述したように，図９（Ａ）におけるＢ−Ｂ線の断面図である。１１，１１’は基材層，１２，１２’はシーラント層，１３，１３’は蒸着層，１４，１４’は補強用フィルム層である。また，前記シーラント層１２のうち，１２ａ，１２ａ’は強シール部，１２ｂ，１２ｂ’は弱シール部，また１２ｃ，１２ｃ’は非ヒートシール部から成り，該強シール部と該弱シール部において前記２枚の前記包装用フィルム１５，１５’が重合接着されている。
【０１１４】
また，図９（Ａ）に示すように，この輸液バッグの外袋１０には，前記弱シール部２の外側に位置する非ヒートシール部６と強シール部３，３’との境界に，線上（Ｉ字状）の上部ノッチ５，５’を設けている。
【０１１５】
さらに，図９（Ａ）に示す輸液バッグの外袋１０の前記開封部８の長手方向距離，すなわち弱シール部２の長手方向距離は，図１０に示すように，輸液バッグ４０の使用時において，前記弱シール部２を剥がして開封部８を開封して輸液バッグ４０の把手用孔４１をハンガー４３に容易に取り付けることできる程度の距離を有し，ハンガー４３に掛けても，本発明の輸液バッグの外袋１０が輸液バッグ４０からすり抜けて落下しないように規定されている。
【０１１６】
また，前記非ヒートシール部６は，指を入れて容易に摘むことができる程度の幅方向の距離を有するように形成されている。
【０１１７】
以上により，前記輸液バッグの外袋１０は，保管，搬送時において収容された輸液バッグ４０を点滴時等に使用する際，前記弱シール部２の外側に位置する上部非ヒートシール部６に指を入れて摘み，図１０に示すように，前記弱シール部２を手で剥がしながら開封部８を開封して，該開封部８を介して輸液バッグ４０の把手用孔４１をハンガー４３に取り付けることができ，外袋保持用のクリップ等を使用せずとも，前記輸液バッグの外袋１０をそのまま遮光カバー等として好適に使用することができる。
【０１１８】
また，この輸液バッグの外袋１０は，透明性を有しながらも，優れた強度，遮光性（紫外線非透過性），ガスバリア性，水蒸気バリア性，耐熱性等を有する包装用フィルム１５，１５’から構成されているので，輸液バッグ４０の保管，搬送，使用時においても，酸素，紫外線などによって前記輸液バッグ４０に充填された輸液は変質せず，さらに，前記輸液バッグの外袋１０によって収容又はカバーされた該輸液バッグ４０の状態，目盛及び文字等を視認することが可能である。
【符号の説明】
【０１１９】
２      弱シール部
２ａ    弱シール温度領域
３      強シール部
３ａ    強シール温度領域
４      挿入開口（非シール部）
５      上部ノッチ
６      非ヒートシール部
７      真空シール部
８      開封部
９      下部ノッチ
１０    輸液バッグ４０の外袋
１１    基材層
１１’  基材層
１２    シーラント層（ヒートシール層）
１２’  シーラント層（ヒートシール層）
１２ａ  強シール部
１２ａ’強シール部
１２ｂ  弱シール部
１２ｂ’  弱シール部
１２ｃ  舌片（非ヒートシール部）
１２ｃ’  舌片（非ヒートシール部）  
１３    蒸着層
１３’  蒸着層
１４    補強用フィルム層
１４’  補強用フィルム層
１５    包装用フィルム（フィルム）
１５’  包装用フィルム（フィルム）
２０    従来の汚染防止袋（本願の外袋１０に対応）
２１   上辺ヒートシール部
２２   ハンガー掛止口
２３   挿入口
２４   上部Ｖノッチ
２５   下部Ｖノッチ
２６   ハンガー掛止部
２７   サイドシール部
２８   下辺ヒートシール部
２９   薬液混入口
３０   薬液排出口
３１   ハンガー
３２   点滴用チューブ
４０   輸液バッグ（点滴用包装容器）
４１   把手用孔
４２   輸液排出口
４３   ハンガー
【図１】
0005500349.tif 000002
【図２】
0005500349.tif 000003
【図３】
0005500349.tif 000004
【図４】
0005500349.tif 000005
【図５】
0005500349.tif 000006
【図６】
0005500349.tif 000007
【図７】
0005500349.tif 000008
【図８】
0005500349.tif 000009
【図９】
0005500349.tif 000010
【図１０】
0005500349.tif 000011
【図１１】
0005500349.tif 000012
【図１２】
0005500349.tif 000013
【図１３】
0005500349.tif 000014
【図１４】
0005500349.tif 000015
【図１５】
0005500349.tif 000016
【図１６】
0005500349.tif 000017
【図１７】
0005500349.tif 000018
【図１８】
0005500349.tif 000019